(57)【要約】      （修正有）【課題】モバイルパネルを夜間の防犯灯とし、広告効果の高い広告をし、他に地震、台風等の地域情報及び広報をリアルタイムで表示して地域住民に利便性を図る広報板を提供する。【解決手段】パネル上部に太陽光発電ソーラーを装着しパネル内部に発電及び蓄電装置を装着させ、太陽光発電をして節電し、該パネルにインターネットを利用したウェブカメラ付映像表示モニターを併設し、該モニターを稼働さすために携帯電話機能機器やパーソナルコンピューター機器等の情報受信装置を内蔵させて該モニターに映像を表示して広告宣伝をする他に、地域情報や地震、台風など災害情報等をリアルタイムでモニターに表示して地域住民に利便性を図り、その他にウェブカメラで防犯効果を高め、更に、外壁を透明性の高いプラスティック板等を併設して内側に照明機器を装設して夜間の防犯灯とし、又、モニター以外の部分に差し替え自在の広告板を併設した。【選択図】図１
0003151781.tif 000002
【実用新案登録請求の範囲】
【請求項１】
映像表示装置モニターであるモバイルパネルを街角に配置して、該モバイルパネルに地域情報や公共団体等の広報を表示すると共に、広告を表示して広告宣伝をする事を特徴とするアドモバイルパネル広報板。
【請求項２】
上記請求項１に関し、該モバイルパネル情報広告板の上部に太陽光発電が行えるソーラーパネルを装着し、該モバイルパネルに太陽光発電機器を内蔵して、通常電気の他に太陽光発電の電気が使用できる事を特徴とする上記請求項１のアドモバイルパネル広報板。
【請求項３】
上記請求項１及び２に関し、該モバイルパネルのモニター部分以外を差替え自在の広告板を装着する事を特徴とするアドモバイルパネル広報板。
【考案の詳細な説明】
【技術分野】
【０００１】  本考案は、従来よりある街角に設置された広告板や町内案内板でなく、太陽光発電装置を装着したモバイルパネルで、該パネルにインターネットを利用した映像表示モニター及び装置機器を装着して、無線により地域情報や広告情報を受信して表示をし、その他に照明器具を用いて夜間の防犯灯とし、地域住民に利便を与え、且つ、広告宣伝をして収益を図るものである。
【背景技術】
【０００２】  一般にこの種の広告板や町内案内板は、案内板に地図を書き込むかポスター等を貼っているもので、利便性に甚だ欠けるものであり、多様な使用方法をすることができないなどの不便等問題点がある。
【考案の開示】
【考案が解決しようとする課題】
【０００３】  本考案は、上記従来の欠点を解決するもので、その目的とする所は、該モバイルパネルを夜間の防犯灯とし、広告効果の高い広告をし、他に地震、台風等の地域情報及び広報をリアルタイムで表示して地域住民に利便性を図ることの他に、該モニターにウェブカメラを取り付けて暴力や犯罪等の抑止することを課題としたものである。
【課題を解決するための手段】
【０００４】  上記課題を解決するために、本考案のモバイルパネルは、パネル上部に太陽光発電装置を装着させ、該パネルにインターネットを利用したウェブカメラ付映像表示モニターを併設し、該モニター等を稼働さすために携帯電話機能機器やパーソナルコンピューター機器等の情報受信装置を内蔵させ、該モニターに広告を表示して広告宣伝をする他にウェブカメラで防犯の効果を高め、更に、外壁を透明性の高いプラスティック板等を併設して内側に照明機器を装設して夜間の防犯灯とし、又、モニター以外の部分に差し替え自在の広告板を併設してより広告効果を高めたモバイルパネルとする。
【考案の効果】
【０００５】  本考案の効果は、該パネルを防犯灯として、又、ウェブカメラを使用して防犯効果を高め、広告を映像受信して該モニターに広告宣伝をし、別に外周部分を差し替え自在の広告板として使用し広告効果を高め、更に太陽光発電装置により通常電気を節電する効果を持つモバイルパネルである。
【考案を実施するための最良の形態】
【０００６】本考案の最良の用法を説明すると、該モバイルパネル上部に太陽光発電ソーラーパネルを装着させ、内部に太陽光発電システム機器および蓄電器を装設し、通常の電気と太陽光発電の２つの電気が使用できるようにし、該パネル上位部分にウェブカメラ付映像表示モニターを装設し、内部に該モニターを稼働さすためにインターネットによる情報を受信する機能を持った携帯電話機能機器やパーソナルコンピューター機器等の情報受信装置を内蔵させ、更に、外壁を透明性の高いプラスティック板等を併設して内側に照明機器を装設して防犯灯とし、又、モニター以外の部分に差し替え自在の広告板を併設して広告効果を高めたアドモバイルパネル広報板とする。
【実施例】
【０００７】  本考案の実施例を各図面について以下の通り説明する。
図１に示すが如く、モバイルパネル本対（１）には、上部に太陽光発電ソーラーパネル（２）、ウェブカメラ付映像表示モニター（４）、差し替え自在の透明なプラスティック広告板（５）を装設する。
図２に示すが如く、モバイルパネル本体（１）には、上部に太陽光発電ソーラーパネル（２）、該パネル内の底部に太陽光発電機器及び蓄電器（３）、該パネル外側上部にウェブカメラ付映像表示モニター（４）、該モニター下部に差し替え自在の透明なプラスティック広告板（５）、該パネル内部に携帯電話機器又はパーソナルコンピューター等のインターネット無線受信機器（６）、同じく内部にパネル全体を明るくして防犯灯とする照明器具（７）、通常電気引込装置（８）を装設する。
【図面の簡単な説明】
【０００８】
【図１】  本考案のモバイルパネル本体の全体斜面図である。
【図２】  本考案のモバイルパネルの内部を開示した縦断側面図である。
【符号の説明】
【０００９】１    モバイルパネル本体
２    太陽光発電ソーラーパネル
３    太陽光発電機器及び蓄電器
４    ウェブカメラ付映像表示モニター
５    差し替え自在の透明なプラスティック広告板
６    携帯電話機器又はパーソナルコンピューター等のインターネット無線受信機器
７    照明器具
８    通常電気引込装置
【図１】
0003151781.tif 000003
【図２】
0003151781.tif 000004
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
長方形の箱型の形状からなるアドモバイルパネル広報板本体は、上部正面にウェブカメラ付映像表示モニターを装着し、その内部に携帯電話機器又はパーソナルコンピューター等のインターネット無線受信機器を内蔵し、更に、本体内部に照明器具を装着して内部より照明をして本体を照らして防犯灯の役目をし、且つ、該モニターに地域情報や公共団体等の広報を表示すると共に、広告を表示して広告宣伝をする事を特徴とするアドモバイルパネル広報板。
【請求項２】
該アドモバイルパネル広報板本体の上部に太陽光発電が行えるソーラーパネルを装着し、該アドモバイルパネル広報板本体に太陽光発電機器及び蓄電器を内蔵して、通常電気の他に太陽光発電の電気が使用できる事を特徴とする上記請求項１記載のアドモバイルパネル広報板。
【請求項３】
該アドモバイルパネル広報板本体正面中央部に、差替え自在の広告板を装着する事を特徴とする上記請求項１記載のアドモバイルパネル広報板。
【手続補正２】
【補正対象書類名】明細書
【補正対象項目名】０００９
【補正方法】変更
【補正の内容】
【０００９】１    アドモバイルパネル広報板本体
２    太陽光発電ソーラーパネル
３    太陽光発電機器及び蓄電器
４    ウェブカメラ付映像表示モニター
５    差し替え自在の広告板
６    携帯電話機器又はパーソナルコンピューター等のインターネット無線受信機器
７    照明器具
８    通常電気引込装置